(57)【特許請求の範囲】
【請求項１】
器内に収容した食品が冷め難く保温性に優れた食器であって、底裏部12が凸型の湾曲面であって所定深さを有するボウル体１と；このボウル体１よりも浅底で皿型のスペーサプレート２と；高台31を含む外殻３とを具備して構成され、かつ、これらは同質のプラスチック材料からなり、
前記スペーサプレート２の口縁部21がボウル体１の底裏部12の湾曲面に当接した状態で被せられて、これら両部材の間に中空部Ｓが作出されており、かつ、当該ボウル体１の外周面11の少なくとも一部およびスペーサプレート２の底面側に、高台31を含む外殻３が、その成形熱により接合一体化されて構成されていることを特徴とする保温食器。
【請求項２】
外殻３がボウル体１の外周面11全体に被せられて上端部に回り込んで接合一体化して構成されていることを特徴とする請求項１記載の保温食器。
【請求項３】
ボウル体１とスペーサプレート２との間の中空部Ｓにおいて、保温材が挿入されていることを特徴とする請求項１または２記載の保温食器。
【請求項４】
ボウル体１とスペーサプレート２との間の中空部Ｓにおいて、遠赤外線放射物質が挿入されていることを特徴とする請求項１〜３の何れか一つに記載の保温食器。
【請求項５】
器内に収容した食品が冷め難く保温性に優れた食器を製造する方法であって、
底裏部12が凸型の湾曲面であって所定深さを有するボウル体１と、このボウル体１よりも浅底の皿型であって、かつ、同質のプラスチック材料からなるスペーサプレート２とを作製する一方、
当該ボウル体１の底裏部12の湾曲面においてスペーサプレート２の口縁部21を当接せしめて被せ、これら両部材の間に中空部Ｓを作出しつゝ、プラスチック成形金型Ｍの内部にインサートした後、
この成形金型Ｍにおける前記スペーサプレート２の底裏側には、少なくとも高台31を含む外殻３を成形可能なキャビティＣを形成し、
このキャビティＣ内に、前記ボウル体１およびスペーサプレート２と同質の溶融プラスチックを射出することによって、その成形熱により前記インサートされたボウル体１およびスペーサプレート２に一体化せしめ、これら両部材の間に中空部Ｓを成形するとともに、
スペーサプレート２の底面側における充填プラスチックを硬化せしめて高台31を成形することを特徴とする保温食器の製造方法。
【請求項６】
外殻３をボウル体１の外周面11全体に被せて上端部に回り込ませて接合一体化して構成することを特徴とする請求項５記載の保温食器の製造方法。
【請求項７】
ボウル体１とスペーサプレート２との間の中空部Ｓに、保温材を挿入してから当該スペーサプレート２をボウル体１に被せることを特徴とする請求項５または６記載の保温食器の製造方法。
【請求項８】
ボウル体１とスペーサプレート２との間の中空部Ｓに、遠赤外線放射物質を挿入してから当該スペーサプレート２をボウル体１に被せることを特徴とする請求項５〜７の何れか一つに記載の保温食器の製造方法。
【発明の詳細な説明】
【技術分野】
【０００１】
本発明は、食器およびその製造技術の改良に関し、更に詳しくは、食品が冷め難い二重構造の保温食器を作製するにあたり、強固に接合一体化した構造にすることができ、優れた強度および保温性を兼ね備えた保温食器およびその製造方法に関するものである。
【背景技術】
【０００２】
食事の際、温かい食品をできるだけ美味しく食するためには、食品がなるべく冷めないことが望ましい。そこで、食器の底部に中空部を設け、この中空部の空気が帯熱することによって収容した食品が冷め難いように構成した、所謂「保温食器」が知られている（例えば、特許文献１参照）。
【０００３】
従来、このような保温食器において中空部を設けるためには、内側容器と外側容器とを超音波溶着機などの溶着手段によって溶着したり、あるいは、接着剤などを用いて接着するなどして接合していた。
【０００４】
しかしながら、かかる接合方法にあっては、この接着部分の結合力が弱く、接合部分に衝撃が加わった際に簡単に破損してしまったり、また、接着剤が劣化してヒビ割れたりするおそれがあった。
【特許文献１】実開平６−４６５７２号公報（第４−５頁、第１−３図）
【発明の開示】
【発明が解決しようとする課題】
【０００５】
本発明は、従来の保温食器に上記のような問題があったことに鑑みて為されたものであり、その目的とするところは、食品が冷め難い二重構造の保温食器を作製するにあたり、強固に接合一体化された構造にして、優れた強度と保温性とを兼ね備えた保温食器を提供すること、およびその合理的な製造方法を提供することにある。
【課題を解決するための手段】
【０００６】
本発明者が上記課題を解決するために採用した手段を添付図面を参照して説明すれば次のとおりである。
【０００７】
即ち、本発明は、器内に収容した食品が冷め難く保温性に優れた食器であって、底裏部12が凸型の湾曲面であって所定深さを有するボウル体１と；このボウル体１よりも浅底で皿型のスペーサプレート２と；高台31を含む外殻３とを具備して構成され、かつ、これらは同質のプラスチック材料からなり、
前記スペーサプレート２の口縁部21がボウル体１の底裏部12の湾曲面に当接した状態で被せられて、これら両部材の間に中空部Ｓが作出されており、かつ、当該ボウル体１の外周面11の少なくとも一部およびスペーサプレート２の底面側に、高台31を含む外殻３が、その成形熱により接合一体化されて構成されているようにするという技術的手段を採用することによって、保温食器を完成させた。
【０００８】
また、本発明は、上記課題を解決するために、必要に応じて上記手段に加え、外殻３がボウル体１の外周面11全体に被せられて上端部に回り込んで接合一体化して構成されているようにするという技術的手段を採用することができる。
【０００９】
更にまた、本発明は、上記課題を解決するために、必要に応じて上記手段に加え、ボウル体１とスペーサプレート２との間の中空部Ｓにおいて、保温材を挿入するという技術的手段を採用することができる。
【００１０】
更にまた、本発明は、上記課題を解決するために、必要に応じて上記手段に加え、ボウル体１とスペーサプレート２との間の中空部Ｓにおいて、遠赤外線放射物質を挿入するという技術的手段を採用することができる。
【００１１】
また、本発明は、器内に収容した食品が冷め難く保温性に優れた食器を製造する方法であって、
底裏部12が凸型の湾曲面であって所定深さを有するボウル体１と、このボウル体１よりも浅底の皿型であって、かつ、同質のプラスチック材料からなるスペーサプレート２とを作製する一方、
当該ボウル体１の底裏部12の湾曲面においてスペーサプレート２の口縁部21を当接せしめて被せ、これら両部材の間に中空部Ｓを作出しつゝ、プラスチック成形金型Ｍの内部にインサートした後、
この成形金型Ｍにおける前記スペーサプレート２の底裏側には、少なくとも高台31を含む外殻３を成形可能なキャビティＣを形成し、
このキャビティＣ内に、前記ボウル体１およびスペーサプレート２と同質の溶融プラスチックを射出することによって、その成形熱により前記インサートされたボウル体１およびスペーサプレート２に一体化せしめ、これら両部材の間に中空部Ｓを成形するとともに、
スペーサプレート２の底面側における充填プラスチックを硬化せしめて高台31を成形するという技術的手段を採用することによって、保温食器の製造方法を完成させた。
【００１２】
また、本発明は、上記課題を解決するために、必要に応じて上記手段に加え、外殻３をボウル体１の外周面11全体に被せて上端部に回り込ませて接合一体化して構成するという技術的手段を採用した。
【００１３】
更にまた、本発明は、上記課題を解決するために、必要に応じて上記手段に加え、ボウル体１とスペーサプレート２との間の中空部Ｓに、保温材を挿入してから当該スペーサプレート２をボウル体１に被せるという技術的手段を採用した。
【００１４】
更にまた、本発明は、上記課題を解決するために、必要に応じて上記手段に加え、ボウル体１とスペーサプレート２との間の中空部Ｓに、遠赤外線放射物質を挿入してから当該スペーサプレート２をボウル体１に被せるという技術的手段を採用した。
【発明の効果】
【００１５】
本発明によれば、底裏部が凸型の湾曲面であって所定深さを有するボウル体と、このボウル体よりも浅底の皿型であって、かつ、同質のプラスチック材料からなるスペーサプレートとを作製する一方、当該ボウル体の底裏部の湾曲面においてスペーサプレートの口縁部を当接せしめて被せ、これら両部材の間に中空部を作出しつゝ、プラスチック成形金型の内部にインサートした後、この成形金型における前記スペーサプレートの底裏側には、少なくとも高台を含む外殻を成形可能なキャビティを形成し、このキャビティ内に、前記ボウル体およびスペーサプレートと同質の溶融プラスチックを射出することによって、材料の同一性およびその成形熱を巧みに利用して、前記インサートされたボウル体およびスペーサプレートに一体化せしめ、これら両部材の間に中空部を成形するとともに、スペーサプレートの底面側における充填プラスチックを硬化せしめて高台を成形することができる。
【００１６】
したがって、外殻の成形熱を巧みに利用して、強固に接合一体化された構造であって、ボウル体１とスペーサプレートは外殻により被覆された状態で強固にクラッディングされるので、優れた強度と保温性とを兼ね備えた保温食器を作製することができ、かかる二重構造の保温食器は、中空部内の空気の帯熱により、食品が冷め難く、また、食品が熱過ぎた場合であっても、手に持ち易くなることから、非常に使い勝手が良く、実用的利用価値は頗る高いものがある。
【発明を実施するための最良の形態】
【００１７】
本発明を実施するための最良の形態を具体的に図示した図面に基づいて更に詳細に説明すると、次のとおりである。
【００１８】
本発明の実施形態を図１から図５に基づいて説明する。図中、符号１で指示するものはボウル体であり、このボウル体１は、底裏部12が凸型の湾曲面であって所定深さを有するプラスチック（本実施形態では、ＡＢＳ樹脂）製の器体である。
【００１９】
また、符号２で指示するものはスペーサプレートであり、このスペーサプレート２は、前記ボウル体１よりも浅底で皿型の部材であって、同質のプラスチック材料（ＡＢＳ樹脂）からなる。
【００２０】
更にまた、符号３で指示するものは外殻であり、この外殻３は高台31を含み、この高台31により食器を載置する際に安定的に定置させることができる。
【００２１】
しかして、本実施形態品にあっては、器内に収容した食品が冷め難く保温性に優れた食器であって、基本的な構成としては、まず、上記のとおり、底裏部12が凸型の湾曲面であって所定深さを有するボウル体１と；このボウル体１よりも浅底で皿型のスペーサプレート２と；高台31を含む外殻３とを具備して構成されており、かつ、これらは同質のプラスチック材料（本実施形態では、ＡＢＳ樹脂）からなる（図１参照）。
【００２２】
そして、前記スペーサプレート２の口縁部21がボウル体１の底裏部12の湾曲面に当接した状態で被せられて、これら両部材の間に中空部Ｓが作出されており、かつ、当該ボウル体１の外周面11の少なくとも一部およびスペーサプレート２の底面側に、高台31を含む外殻３がその成形熱により接合一体化されて構成されている。
【００２３】
なお、本実施形態では、ボウル体１とスペーサプレート２との間の中空部Ｓにおいて、保温材や遠赤外線放射物質などを挿入することができ、より高い保温性能を付与することができる。
【００２４】
次に、本発明の保温食器の具体的な製造方法について以下に説明する。即ち、器内に収容した食品が冷め難く保温性に優れた食器を製造する方法であって、まず、底裏部12が凸型の湾曲面であって所定深さを有するボウル体１を作製する。このボウル体１はプラスチック材料（本実施形態では、ＡＢＳ樹脂）により作製する。
【００２５】
また、このボウル体１よりも浅底の皿型であって、かつ、同質のプラスチック材料（ＡＢＳ樹脂）からなるスペーサプレート２を作製する。
【００２６】
なお、上記プラスチック材料には、ＡＢＳ樹脂のほか、例えば、ポリプロピレン（ＰＰ）系、ポリエチレン（ＰＥ）、メタクリル、ポリスルホン、飽和ポリエステル、ポリエチレンテレフタレート（ＰＥＴ）、ポリフェニレンエーテル（ＰＰＥ）系、ＡＢＳ／ＰＣ（ポリカーボネート）系、ポリアミド系などのポリマーアロイやＦＲＰなどのエンジニアリングプラスチック、ポリ乳酸などの生分解性プラスチックなどを採用することができ、常法の射出成形により作製する。
【００２７】
かかる強化プラスチック材料で作製することによって、食器洗浄機による熱水洗浄や、高温乾燥機による熱風に対しても、変形することなく、優れた耐久性（耐熱性）を発揮することができる。
【００２８】
次いで、図２に示すように、当該ボウル体１の底裏部12の湾曲面においてスペーサプレート２の口縁部21を当接せしめて被せ、これら両部材の間に中空部Ｓを作出しつゝ、プラスチック成形金型Ｍの内部にインサートする。
【００２９】
そして、この成形金型Ｍにおける前記スペーサプレート２の底裏側には、少なくとも高台31を含む外殻３を成形可能なキャビティＣを形成する（図３参照）。
【００３０】
然る後、このキャビティＣ内に、前記ボウル体１およびスペーサプレート２と同質の溶融プラスチックを射出することによって、その成形熱により前記インサートされたボウル体１およびスペーサプレート２に一体化せしめ、これら両部材の間に中空部Ｓを成形することができる。
【００３１】
更に、スペーサプレート２の底面側における充填プラスチックを硬化せしめて高台31を成形することができる（図４参照）。
【００３２】
なお、本実施形態では、ボウル体１とスペーサプレート２との間の中空部Ｓに、保温材または遠赤外線放射物質を挿入してから当該スペーサプレート２をボウル体１に被せることによって、より高い保温性能を付与することができる。
【００３３】
本発明は概ね上記のように構成されるが、図示の実施形態に限定されるものでは決してなく、「特許請求の範囲」の記載内において種々の変更が可能であって、例えば、前記スペーサプレート２の口縁部21をボウル体１の底裏部12の湾曲面に当接した状態で被せて、これら両部材の間に中空部Ｓを作出することができるものであれば、ボウル体１およびスペーサプレート２の形状は図示したものに限られず、比較的浅底のものや底裏12の一部に平坦部を含むもの、あるいは図５に示すような皿型のものであっても良い。
【００３４】
また、図６に示すように、高台31を含む外殻３をボウル体１の外周面11全体に被せて上端部に回り込ませて接合一体化して構成することによって、接合面積を増加せしめて更に強固に接合することもでき、これら何れのものも本発明の技術的範囲に属する。
【図面の簡単な説明】
【００３５】
【図１】本発明の実施形態の製造工程を表わす説明斜視図である。
【図２】本発明の実施形態の製造工程を表わす説明断面図である。
【図３】本発明の実施形態の製造工程を表わす説明断面図である。
【図４】本発明の実施形態の保温食器を表わす説明斜視図である。
【図５】本発明の実施形態の保温食器の変形例を表わす説明断面図である。
【図６】本発明の実施形態の保温食器の変形例を表わす説明断面図である。
【符号の説明】
【００３６】
１    ボウル体
11    外周面
12    底裏部
２    スペーサプレート
21    口縁部
３    外殻
31    高台
Ｓ    中空部
Ｍ    成形金型
【図１】
0004456568.tif 000002
【図２】
0004456568.tif 000003
【図３】
0004456568.tif 000004
【図４】
0004456568.tif 000005
【図５】
0004456568.tif 000006
【図６】
0004456568.tif 000007